(57)【要約】【課題】コンテンツの管理を的確に行なうことのできるコンテンツ処理制限方法を提供する。【解決手段】携帯電話等の処理装置において、コンテンツを組合せて利用するために挿入操作を行なう際、当該コンテンツが単体として正当なコンテンツである場合、まず、挿入するコンテンツと、すでにあるコンテンツとに付加されている制限条件を全て抽出する（Ｓ２０３）。制限条件は、他のコンテンツとの組合せを制限する情報や、特定のコンテンツとの組合せを制限する情報であって、全てのコンテンツについて、上述の制限条件が満たされているか否かを精査して、満たされている場合のみ（Ｓ２０９でＹｅｓ）、当該コンテンツの挿入を許可する（Ｓ２１５）。【選択図】　　　　図８
2004029859.tif 000002
【特許請求の範囲】
【請求項１】
第１のコンテンツに対して第２のコンテンツを追加する場合におけるコンテンツの処理制限方法であって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの処理を制限する制限ステップとを備える、コンテンツ処理制限方法。
【請求項２】
前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項１に記載のコンテンツ処理制限方法。
【請求項３】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理、再生制御処理との少なくとも１つを制限する情報を含むとき、
前記制限ステップにおいては、前記第２の制限情報に基づいて、前記第２のコンテンツを追加する際の処理を制限する、請求項１に記載のコンテンツ処理制限方法。
【請求項４】
前記第１の制限情報と前記第２の制限情報との少なくとも一方が、他のコンテンツと組合せて同時に利用する際の所定の条件を含むとき、
前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１に記載のコンテンツ処理制限方法。
【請求項５】
前記第１の制限情報と前記第２の制限情報との少なくとも一方は、当該コンテンツの属性を示す情報をさらに含み、
前記所定の条件は、組合せるコンテンツの属性に関する条件である、請求項４に記載のコンテンツ処理制限方法。
【請求項６】
第１のコンテンツに対して第２のコンテンツを追加する場合におけるコンテンツの処理制限をコンピュータに実行させるコンテンツ処理制限プログラムであって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの処理を制限する制限ステップとを実行させる、コンテンツ処理制限プログラム。
【請求項７】
前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項６に記載のコンテンツ処理制限プログラム。
【請求項８】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理、再生制御処理との少なくとも１つを制限する情報を含むとき、
前記制限ステップにおいては、前記第２の制限情報に基づいて、前記第２のコンテンツを追加する際の処理を制限する、請求項６に記載のコンテンツ処理制限プログラム。
【請求項９】
前記第１の制限情報と前記第２の制限情報との少なくとも一方が、他のコンテンツと組合せて同時に利用する際の所定の条件を含むとき、
前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項６に記載のコンテンツ処理制限プログラム。
【請求項１０】
前記第１の制限情報と前記第２の制限情報との少なくとも一方は、当該コンテンツの属性を示す情報をさらに含み、
前記所定の条件は、組合せるコンテンツの属性に関する条件である、請求項９に記載のコンテンツ処理制限プログラム。
【請求項１１】
請求項６〜１０のいずれかに記載のコンテンツ処理制限プログラムを記録する、コンピュータ読取可能な記録媒体。
【請求項１２】
第１のコンテンツに対して第２のコンテンツを追加するコンテンツの編集を行なうコンテンツ編集装置であって、
前記第１のコンテンツに付加されている第１の制限情報を認識する第１の制限情報認識手段と、
前記第２のコンテンツに付加されている第２の制限情報を認識する第２の制限情報認識手段と、
前記認識された前記第１および第２の制限情報に基づいて、前記第２のコンテンツの処理を制限する制限手段とを備える、コンテンツ編集装置。
【発明の詳細な説明】
【０００１】
【発明の属する技術分野】
この発明はコンテンツ処理制限方法、コンテンツ処理制限プログラム、該プログラムを記録した記録媒体、およびコンテンツ編集装置に関し、特に、コンテンツの管理を的確に行なうことのできるコンテンツ処理制限方法、コンテンツ処理制限プログラム、該プログラムを記録した記録媒体、およびコンテンツ編集装置に関する。
【０００２】
【従来の技術】
ネットワークの普及に伴ない、ユーザは、画像データや写真等のコンテンツを自由に取得できるようになり、パーソナルコンピュータ等の処理端末を用いて、自由に利用できる環境となっている。
【０００３】
このようなコンテンツの提供者が特に著作権を主張せず自由な利用を許可している場合においては、ユーザが当該コンテンツを自由に編集や改変することができ、また、他のコンテンツと組合わせて利用することもできる。
【０００４】
【発明が解決しようとする課題】
しかしながら、このようなコンテンツの提供者が、当該コンテンツに対して独自の世界観を持たせている場合やその他の価値や権利を持たせている場合には、当該コンテンツの利用方法や組合せに制限をかけたいという要求が生じる。
【０００５】
このような場合において、従来の技術では、印刷の制限を行なう等、所定の処理について制限を行なうことはなされてきてはいるものの、他のコンテンツとの組合せや、さらに高度な処理については、制限を行なうことが難しく、適切な著作権等の管理を行なうことが難しいという問題があった。
【０００６】
本発明はこのような問題に鑑みてなされたものであって、コンテンツの管理を的確に行なうことのできるコンテンツ処理制限方法、コンテンツ処理制限プログラム、該プログラムを記録した記録媒体、およびコンテンツ編集装置を提供することを目的とする。
【０００７】
【課題を解決するための手段】
上記目的を達成するために、本発明のある局面に従うと、コンテンツ処理制限方法は、第１のコンテンツに対して第２のコンテンツを追加する場合におけるコンテンツの処理制限方法であって、第１のコンテンツに付加されている第１の制限情報を認識する第１の制限情報認識ステップと、第２のコンテンツに付加されている第２の制限情報を認識する第２の制限情報認識ステップと、認識された第１および第２の制限情報に基づいて、第２のコンテンツの処理を制限する制限ステップとを備える。
【０００８】
また、第１の制限情報と第２の制限情報との少なくとも一方が、他のコンテンツと組合せて同時に利用されることを制限する排他情報を含むとき、コンテンツ処理制限方法の制限ステップにおいては、第１のコンテンツに対して第２のコンテンツを追加する処理を制限することが望ましい。
【０００９】
また、第２の制限情報が、他のコンテンツと組合せて同時に利用する際の、第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、コンテンツ処理制限方法の制限ステップにおいては、第２の制限情報に基づいて、第２のコンテンツを追加する際の処理を制限することが望ましい。
【００１０】
また、第１の制限情報と第２の制限情報との少なくとも一方が、他のコンテンツと組合せて同時に利用する際の所定の条件を含むとき、コンテンツ処理制限方法の制限ステップにおいては、第１の制限情報と第２の制限情報とから含まれる所定の条件を全て抽出し、第１のコンテンツと第２のコンテンツとが抽出した条件を１つでも満たしていない場合には、第１のコンテンツに対して第２のコンテンツを追加する処理を制限することが望ましい。
【００１１】
また、第１の制限情報と第２の制限情報との少なくとも一方は、当該コンテンツの属性を示す情報をさらに含み、上述の所定の条件は、組合せるコンテンツの属性に関する条件であることが望ましい。
【００１２】
本発明の他の局面に従うと、コンテンツ処理制限プログラムは、第１のコンテンツに対して第２のコンテンツを追加する場合におけるコンテンツの処理制限をコンピュータに実行させるコンテンツ処理制限プログラムであって、第１のコンテンツに付加されている第１の制限情報を認識する第１の制限情報認識ステップと、第２のコンテンツに付加されている第２の制限情報を認識する第２の制限情報認識ステップと、認識された第１および第２の制限情報に基づいて、第２のコンテンツの処理を制限する制限ステップとを実行させる。
【００１３】
また、第１の制限情報と第２の制限情報との少なくとも一方が、他のコンテンツと組合せて同時に利用されることを制限する排他情報を含むとき、コンテンツ処理制限プログラムの制限ステップにおいては、第１のコンテンツに対して第２のコンテンツを追加する処理を制限することが望ましい。
【００１４】
また、第２の制限情報が、他のコンテンツと組合せて同時に利用する際の、第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、コンテンツ処理制限プログラムの制限ステップにおいては、第２の制限情報に基づいて、第２のコンテンツを追加する際の処理を制限することが望ましい。
【００１５】
また、第１の制限情報と第２の制限情報との少なくとも一方が、他のコンテンツと組合せて同時に利用する際の所定の条件を含むとき、コンテンツ処理制限プログラムの制限ステップにおいては、第１の制限情報と第２の制限情報とから含まれる所定の条件を全て抽出し、第１のコンテンツと第２のコンテンツとが抽出した条件を１つでも満たしていない場合には、第１のコンテンツに対して第２のコンテンツを追加する処理を制限することが望ましい。
【００１６】
また、第１の制限情報と第２の制限情報との少なくとも一方は、当該コンテンツの属性を示す情報をさらに含み、上述の所定の条件は、組合せるコンテンツの属性に関する条件であることが望ましい。
【００１７】
本発明の他の局面に従うと、記録媒体はコンピュータ読取可能な記録媒体であって、上述のコンテンツ処理制限プログラムを記録する。
【００１８】
本発明のさらに他の局面に従うと、コンテンツ編集装置は第１のコンテンツに対して第２のコンテンツを追加するコンテンツの編集を行なうコンテンツ編集装置であって、第１のコンテンツに付加されている第１の制限情報を認識する第１の制限情報認識手段と、第２のコンテンツに付加されている第２の制限情報を認識する第２の制限情報認識手段と、認識された第１および第２の制限情報に基づいて、第２のコンテンツの処理を制限する制限手段とを備える。
【００１９】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２０】
［第１の実施の形態］
本実施の形態においては、図１に示される一般的なネットワークシステムにおいて、様々なコンテンツの組合せを行なう。
【００２１】
本実施の形態においては、上述のコンテンツの組合せを、通信端末である携帯電話１で行なう場合について説明を行なう。もちろん、通信端末は携帯電話に限定されず、パーソナルコンピュータやＰＤＡ（Ｐｅｒｓｏｎａｌ　Ｄｉｇｉｔａｌ　Ａｓｓｉｓｔａｎｔｓ）等のその他の通信端末であっても同様である。
【００２２】
本実施の形態においては、ユーザは携帯電話１を用い、インターネットを経由してサーバ３から取得したコンテンツや、携帯電話１で作成したコンテンツ等を組合せる。
【００２３】
図２は、携帯電話１を示す図である。
図２を参照して、携帯電話１は、情報の表示を行なうＬＣＤ（Ｌｉｑｕｉｄ　ＣｒｙｓｔａｌＤｉｓｐｌａｙ）等から構成される表示画面１１と、スピーカ１２と、マイク１３と、電話番号等の入力を行なうためのテンキー１４と、カーソルの移動を行なうためのカーソルキー１５と、機能の選択等を行なうためのファンクションキー１６と、カメラ１７とを備える。
【００２４】
なお、図２に示される携帯電話１の概要は、一般的な携帯電話の概要であり、これに限定されるものではない。例えば、カメラ１７は備えられていなくても構わないし、他の機器と接続することで、各種情報の取得ができる仕組みを備えていてもよい。
【００２５】
さらに、図２に示される携帯電話１の機能ブロックについて、図３を参照して説明する。
【００２６】
図３に示されるように、携帯電話１は、ＣＰＵ（Ｃｅｎｔｒａｌ　Ｐｒｏｃｅｓｓｉｎｇ　Ｕｎｉｔ）等から構成され、全体の制御を行なう制御部１０１と、中継基地局を介して通信を行なうための通信部１０２と、制御部１０１において実行されるプログラムおよびそのプログラムの中間データや、他の装置から取得したデータ等を記憶する記憶部１０３と、各種情報や指示の入出力を受付ける入出力部１１０とを含む。
【００２７】
また、入出力部１１０は、テンキー１４等により、この携帯電話１のユーザが他の電話装置の電話番号を入力したり、受信した電子メールを検索するための項目を入力したり、受信した電子メールの表示要求を入力したりする操作部１１１と、ユーザに情報を表示する表示画面１１からなる表示部１１２と、音声を入力するマイク１３からなる音声入力部１１３と、音声を出力するスピーカ１２からなる音声出力部１１４と、画像を取得するカメラ１７からなる画像入力部１１５とを含む。
【００２８】
なお、図３に示される携帯電話１のハードウェアは一般的なものであり、これに限定されるものではない。
【００２９】
このような携帯電話１において、記憶部１０３に記憶されているアプリケーションを用いて、アニメーションを作成する場合について考える。
【００３０】
図４は、携帯電話１上で動作するアニメーション作成ツールの具体例を示す図である。
【００３１】
図４に示されるアプリケーションは、携帯電話１上で、背景画像やアニメーション用のクリップアート（画像データ）や、任意のテキスト情報や、ＢＧＭサウンド情報等のコンテンツを、任意に組合せて１つのアニメーションコンテンツを作成するアプリケーションである。このアプリケーションを用いてアニメーションコンテンツを作成する場合には、ユーザは、挿入したい画像等のコンテンツを選択し、追加する操作を行なう。
【００３２】
この挿入するコンテンツは、インターネットからのダウンロードや、電子メールでの受信や、接続した外部メモリからの移動や、カメラ１７での撮影等で取得し、記憶部１０３に蓄積されたものである。
【００３３】
さらに、挿入するコンテンツがクリップアートである場合は、ユーザはカーソルキー１５やテンキー１４を用いて、挿入する場所の移動、拡大、縮小、および消去等の操作を行なうことができる。
【００３４】
第１の実施の形態におけるコンテンツには、各々制限情報が付加されていることを特徴とする。
【００３５】
図５は、制限情報として排他情報が付加されているコンテンツの具体例を示す図である。
【００３６】
図５を参照して、各コンテンツＡ，Ｂ，Ｃ，Ｘには、排他情報として排他フラグが付加されている。排他フラグが０であるコンテンツは、他のコンテンツと組合せることが可能であり、排他フラグが１であるコンテンツは、他のコンテンツと組合せることができない排他コンテンツである。
【００３７】
そこで、図５に示される各コンテンツＡ，Ｂ，Ｃ，Ｘについて、組合せて利用できるコンテンツの組合せは、
コンテンツＡとコンテンツＢ
コンテンツＢとコンテンツＣ
コンテンツＣとコンテンツＡ
コンテンツＡとコンテンツＢとコンテンツＣ
の組合せと、各コンテンツを単体で用いるのみである。
【００３８】
図５に示される、各コンテンツに付加される制限情報は、当該コンテンツの作者や当該コンテンツに関して権利を持つもの（例えば管理会社やプロバイダ等）等のコンテンツの提供者によって作成される。そして、制限情報は、当該コンテンツのヘッダ部等、コンテンツ自身に付加される。
【００３９】
第１の実施の形態における携帯電話１では、上述のコンテンツを挿入してアニメーションコンテンツを作成する際に、自動的に組合せの可否が制御される。
【００４０】
図６は、第１の実施の形態において、コンテンツ挿入の際に行なわれる制御についてその流れを示すフローチャートである。図６のフローチャートに示される処理は、携帯電話１の制御部１０１が記憶部１０３に記憶されているプログラムを読込んで実行することで実現される。
【００４１】
図６を参照して、まず始めに、ユーザが携帯電話１を用いてアニメーションコンテンツを作成するために、ライブラリから選択する等して挿入するコンテンツを選択すると、挿入するコンテンツが挿入可能なファイル形式であるか否かを確認する（Ｓ１０１）。また、そのコンテンツに付加されている著作権に関する情報を確認して、当該コンテンツが単体としては（他のコンテンツと組合せなければ）挿入可能なコンテンツであるか否かを判断する。
【００４２】
当該コンテンツが、挿入可能なファイル形式でない場合や、著作権に関して挿入を許可しない情報が付加されている場合や、不正な（作成方法や取得方法の）コンテンツである場合等には（Ｓ１０１でＮｏ）、挿入操作を中止し（Ｓ１０９）、当該プログラムを終了する。この際、「コンテンツが壊れています」や「挿入が許可されていません」等のメッセージを表示画面１１に表示させてもよい。
【００４３】
選択されたコンテンツが挿入可能な場合（Ｓ１０１でＹｅｓ）、続いて選択されたコンテンツが排他コンテンツか否かを確認する（Ｓ１０３）。すなわち、付加されている制限情報である排他フラグが０か１かを確認する。
【００４４】
選択されたコンテンツが排他コンテンツでない場合（Ｓ１０３でＮｏ）、すでに挿入されているコンテンツの中に排他コンテンツがあるか否かを確認する（Ｓ１０７）。ここでは、すでに挿入されているコンテンツの各排他フラグを確認する。
【００４５】
すでに排他コンテンツが挿入されている場合には（Ｓ１０７でＹｅｓ）、「組合せを禁じたコンテンツがすでに挿入されています」等を表示画面１１に表示するなどして、挿入操作を中止し（Ｓ１０９）、本プログラムを終了する。
【００４６】
排他コンテンツがすでに挿入されていない場合には（Ｓ１０７でＮｏ）、当該コンテンツの挿入操作を実行し（Ｓ１１１）、本プログラムを終了する。
【００４７】
選択されたコンテンツが排他コンテンツである場合（Ｓ１０３でＹｅｓ）、すでに他のコンテンツが挿入されているか否かを確認する（Ｓ１０５）。
【００４８】
すでに他のコンテンツが挿入されている場合（Ｓ１０５でＹｅｓ）、選択されたコンテンツを挿入することができないので、「他のコンテンツとの組合せが許可されていません」等の表示を表示画面１１に表示するなどして、挿入操作を中止し（Ｓ１０９）、本プログラムを終了する。
【００４９】
すでに他のコンテンツが挿入されていない場合には（Ｓ１０５でＮｏ）、当該コンテンツの挿入操作を実行し（Ｓ１１１）、本プログラムを終了する。
【００５０】
上述の処理において、携帯電話１の制御部１０１が、コンテンツのヘッダ部等に付加されている当該コンテンツの制限情報を確認することで処理を進めることができる。
【００５１】
なお、上述の実施の形態においては、各コンテンツに、他のコンテンツと組合せが可能か否かを示す排他情報が付加されている場合について説明したが、排他情報は排他フラグに限定されず、他のどのコンテンツと組合せ可能かを記したテーブルであってもよい。
【００５２】
このように、コンテンツの提供者が、当該コンテンツに制限情報として排他情報を付加することで、当該コンテンツ単体の管理のみならず、複数のコンテンツを利用する際の著作権等の管理を的確に行なうことができる。
【００５３】
そして、本実施の形態における携帯電話１が、上述の処理を実行することで、このようなコンテンツの著作権等の管理を自動的に的確に行なうことができる。
【００５４】
［第２の実施の形態］
上述の第１の実施の形態においては、単にコンテンツの組合せの可否のみの制限について述べたが、次に、組合せの機能の制限を行なう場合について述べる。
【００５５】
第２の実施の形態におけるコンテンツには、各々識別情報であるＩＤが設定され、制限情報として組合制限情報が付加されていることを特徴とする。
【００５６】
図７は、制限情報として組合制限情報が付加されている、ＩＤが設定されたコンテンツの具体例を示す図である。
【００５７】
図７を参照して、コンテンツＡ，Ｂ，Ｃは、コンテンツＡ，Ｂ，Ｃがあるコンテンツ提供者が提供する作品００１に関連するコンテンツであって、コンテンツＡ，Ｂ，Ｃに設定されているＩＤが００１から始まることで、その旨を示している。００１以降に続くＡ，Ｂ，Ｃは、各コンテンツＡ，Ｂ，Ｃ固有の情報であって、作者を示す情報や、製作時を示す情報や、その他の情報を示す固有の情報である。より具体的には、著作権者ＩＤ＋作品ＩＤ＋個別ＩＤ等の階層化したＩＤを設定することで、より汎用性を高めることができる。
【００５８】
また、図７に示される各コンテンツＡ，Ｂ，Ｃに付加されている組合制限情報は、共に「ＩＤ＝００１＊」であって、００１から始まるＩＤが設定されたコンテンツと組合せることが可能であることが示されている。
【００５９】
また、図７に示されるコンテンツＸ，Ｙ，Ｚは、上述の作品００１以外の作品に関連するコンテンツであることを示すＩＤが設定されている。
【００６０】
また、コンテンツＸ，Ｙに付加されている組合制限情報「ＩＤ＝＊」は、当該コンテンツを他のコンテンツと組合せる際に、特に制限が設けられていないことを示す。このように、アスタリスク等のワイルドカードを設定することによっても汎用性を高めることができる。このようなアスタリスク等のワイルドカードを設定することで、すべてのコンテンツと組合せ可能という指定を行なうことができる。
【００６１】
そこで、図７に示される各コンテンツＡ，Ｂ，Ｃ，Ｘ，Ｙ，Ｚについて、組合せて利用できるコンテンツの組合せは、
コンテンツＡとコンテンツＢ
コンテンツＢとコンテンツＣ
コンテンツＣとコンテンツＡ
コンテンツＸとコンテンツＹ
コンテンツＸとコンテンツＺ
コンテンツＡとコンテンツＢとコンテンツＣ
の組合せと、各コンテンツを単体で用いるのみである。
【００６２】
第１の実施の形態におけるコンテンツと同様に、図７に示される、各コンテンツに付加される組合制限情報は、コンテンツの提供者によって作成される。また、各コンテンツに設定されるＩＤもまた、コンテンツの提供者によって設定される。
【００６３】
なお、上述のＩＤや組合制限条件は、上述の具体例に限定されるものではない。すなわち、コンテンツの作品に関連したＩＤが設定されている場合に限定されず、その他のパラメータ（作者や製作会社等）でＩＤが設定されていてもよい。また、組合制限条件も同様である。
【００６４】
第２の実施の形態における携帯電話１でもまた、上述のコンテンツを挿入してアニメーションコンテンツを作成する際に、自動的に組合せの制限が制御される。
【００６５】
図８は、第２の実施の形態において、コンテンツ挿入の際に行なわれる制御についてその流れを示すフローチャートである。図８のフローチャートに示される処理もまた、携帯電話１の制御部１０１が記憶部１０３に記憶されているプログラムを読込んで実行することで実現される。
【００６６】
図８を参照して、始めに、第１の実施の形態における処理と同様に、ユーザが携帯電話１を用いてアニメーションコンテンツを作成するために、ライブラリから選択する等して挿入するコンテンツを選択すると、挿入するコンテンツが挿入可能なファイル形式であるか否か等を確認する（Ｓ２０１）。そして、当該コンテンツが、挿入可能なファイル形式でない場合や、著作権に関して挿入を許可しない情報が付加されている場合や、不正な（作成方法や取得方法の）コンテンツである場合等には（Ｓ２０１でＮｏ）、挿入操作を中止し（Ｓ２１３）、当該プログラムを終了する。
【００６７】
選択されたコンテンツが挿入可能な場合（Ｓ２０１でＹｅｓ）、続いて、選択されたコンテンツとすでに挿入されているコンテンツとの組合制限情報を参照し、組合せの制限条件を全て抽出する（Ｓ２０３）。
【００６８】
そして、選択されたコンテンツとすでに挿入されているコンテンツとの全てのコンテンツについて、抽出された制限条件を満たしているか否かを精査する（Ｓ２０５〜Ｓ２０９）。
【００６９】
全ての条件を満たしているとき（Ｓ２０７でＹｅｓかつＳ２０９でＹｅｓ）、選択されたコンテンツを挿入することが可能であり、そのまま挿入処理が実行される（Ｓ２１５）。
【００７０】
１つでも条件が満たされていない場合には（Ｓ２０７でＮｏ）、選択されたコンテンツを挿入することができないので、「組合せを禁じたコンテンツがすでに挿入されています」等の表示を表示画面１１に表示するなどして、挿入操作を中止し（Ｓ２１３）、本プログラムを終了する。
【００７１】
このように、コンテンツの提供者が、当該コンテンツにＩＤを設定し、さらに制限情報として組合制限情報を付加することで、当該コンテンツ単体の管理のみならず、複数のコンテンツを利用する際の著作権等の管理を的確に行なうことができる。すなわち、特定の組合せでの利用のみの許可等を行なうことが可能になる。
【００７２】
そして、本実施の形態における携帯電話１が、上述の処理を実行することで、このようなコンテンツの著作権等の管理を自動的に的確に行なうことができる。
【００７３】
さらに、組合制限情報として、組合せ不許可のコンテンツのＩＤを指定することもできる。また、ＩＤごとに同時に組合せて利用することが可能なコンテンツの数を制限することもできる。
【００７４】
なお、上述においては、各コンテンツに設定されるＩＤが単純なツリー構造で表現されるＩＤであるものとして説明しているが、このようなＩＤに限定されず様々なキーワードを属性としてコンテンツに付属させることで、ＩＤを含む属性を用いた制限を行なうことができる。このような制限については、第３の実施の形態において説明を行なう。
【００７５】
［第３の実施の形態］
上述の第１および第２の実施の形態においては、コンテンツ自体との組合せについての可否や組合せの機能の制限について述べたが、次に、コンテンツの属性に対しての組合せの制限について述べる。
【００７６】
第３の実施の形態におけるコンテンツには、各々制限情報として属性情報が付加されていることを特徴とする。また、第２の実施の形態と同様に、コンテンツに固有のＩＤも属性情報に含まれて付加されていてもよい。
【００７７】
図９は、制限情報として属性情報が付加されているコンテンツの具体例を示す図である。
【００７８】
図９を参照して、コンテンツＸには、コンテンツＸ自体の情報を示す固有情報［ＤＡＴＡ］と、コンテンツＸ単体の制限情報［ＳＩＮＧＬＥ］と、コンテンツＸと他のコンテンツとの組合せを制限する制限情報［ＣＯＭＢＩＮＡＴＩＯＮ］とが付加されている。
【００７９】
コンテンツの固有情報としては、先述のＩＤや、コンテンツのタイプ、カテゴリ、およびキーワード等が含まれる。これらがコンテンツに付加されることで、コンテンツの検索や分類に用いることができる。また、この固有情報がコンテンツ単体の属性を示し、この情報に基づいて、後述する属性に対する制限を行なうことができる。
【００８０】
コンテンツ単体の制限情報は、コンテンツ単体での利用を制限するための情報であって、印刷、転送、位置の移動、変形および拡大等の可否が示される情報である。これらがコンテンツに付加されることで、コンテンツ単体としての上述の利用の制限を的確に行なうことができる。
【００８１】
コンテンツの組合せを制限する制限情報は、組合せの際の利用を制限する情報であって、他のコンテンツのデータ形式、ＩＤ、タイプ、およびジャンル等の属性に対して組合せの可否が示される情報である。これらのコンテンツの属性は、上述のコンテンツの固有情報や、データ形式に関する情報や、コンテンツのヘッダ部等に含まれる情報である。このような制限情報がコンテンツに付加されることで、他のコンテンツとの組合せにおいて上述の利用の制限を的確に行なうことができる。
【００８２】
図９に示されるコンテンツＸにおいては、印刷や転送は可能であるが、変形が許可されていない。また、画像やアニメーション、音楽と組合せることができるが、組合せ可能なアニメーションは、ＩＤがＳＨ−＊−ＥＡＮＩＭＥ−＊のものに制限されている。また、画像や音楽との組合せについては制限されていない。また、コンテンツのタイプに関わらず、性的なジャンルや暴力的なジャンルに属するコンテンツと組合せることも許可されていない。
【００８３】
このような、コンテンツに付加される属性情報は、第１および第２の実施の形態におけるコンテンツと同様に、コンテンツの提供者によって作成される。
【００８４】
そして、第３の実施の形態における携帯電話１でもまた、上述のコンテンツを挿入してアニメーションコンテンツを作成する際に、自動的に組合せの制限が制御される。第３の実施の形態における、コンテンツ挿入の際に行なわれる制御については、第２の実施の形態において図８のフローチャートに示される処理と同様であるため、ここでの重複する部分の説明は繰返さない。
【００８５】
すなわち、第３の実施の形態においても、選択されたコンテンツとすでに挿入されているコンテンツとの属性情報を全て抽出し、全ての条件について精査する。
【００８６】
そして、全ての条件を満たしている場合にのみ、選択されたコンテンツを挿入することが可能であり、そのまま挿入処理を実行する。
【００８７】
このように、コンテンツの提供者が、当該コンテンツに制限情報として属性情報を付加することで、当該コンテンツ単体の管理のみならず、複数のコンテンツを利用する際の著作権等の管理を的確にかつ詳細に行なうことができる。すなわち、特定のコンテンツの組合せでの利用のみならず、特定の属性を備えるコンテンツとの組合せでの利用のみの許可等を行なうことが可能になる。
【００８８】
そして、本実施の形態における携帯電話１が、上述の処理を実行することで、このようなコンテンツの著作権等の管理を自動的に的確に行なうことができる。
【００８９】
なお、本実施の形態において各コンテンツに付加される属性情報は、上述の属性情報に限定されるものではない。例えば、制限を行なう項目が単純な場合は、制限する項目を予め定義しておき、各項目にそれぞれに専用フラグを割当て、このフラグに応じて他のコンテンツとの組合せを制限することもできる。また、属性に対する制限情報に、優先順位を設けることもできる。
【００９０】
さらに、上述の第１〜第３の実施の形態において、各コンテンツに付加される制限情報は、当該コンテンツのヘッダ部等、コンテンツ自身に付加されるものとして説明を行なったが、そのコンテンツを管理するサーバ３に格納されていてもよい。
【００９１】
この場合、当該コンテンツの挿入操作を行なう際には、携帯電話１は、当該コンテンツの制限情報をサーバ３から所得することで処理を進めることができる。あるいは、図１に示されない認証用のサーバを備えることで、予めコンテンツに対してその認証用サーバの認証を付加して、認証されているコンテンツは全て組合せて利用可能としてもよい。また、プロバイダごとに利用のライセンスを与えることで、そのライセンスの付与されたプロバイダが提供するコンテンツは全て組合せて利用可能としてもよい。このようにすることで、コンテンツの挿入操作の度にサーバ３から当該コンテンツの制限情報を取得することがない。
【００９２】
また、各コンテンツに、当該コンテンツに対する制限情報を付加するのみならず、他のコンテンツに対する制限情報を付加することもできる。具体的には、コンテンツＡが所定のコンテンツとの組合せのみを許可するコンテンツである場合、その所定のコンテンツに対して、コンテンツＡとの組合せを許可する制限情報（ライセンス）を付与することが考えられる。
【００９３】
また、上述の第１〜第３の実施の形態においては、携帯電話１のアプリケーションにおいて、選択されたコンテンツを挿入する際に上述の処理を実行して各コンテンツに付加されている組合制限条件に基づいて挿入操作の制御を行なったが、挿入する際に限定されず、挿入操作の途中や、保存時に、組合制限条件を満たしているか否かを確認して上述の処理を実行してもよい。
【００９４】
さらに、上述の如くコンテンツに制限情報を付加することで、コンテンツの組合せを制限するのみならず、様々な動作や処理を制限することもできる。具体的には、縦横比を保った拡大縮小なら認めるが保たないものは認めない等の、拡大や縮小の制限を行なうこともできる。また、所定角度までの回転しか認めない等の、回転の制限を行なうこともできる。また、上下や左右反転は認めない等の、反転の制限を行なうこともできる。また、全ての部分が他のコンテンツ（オブジェクト）から隠されず必ず全体を表示しなければならない等の、全体表示の制限を行なうこともできる。また、色変更の不可や所定領域に関しての、赤、青、および黄色に変更することはできるが他の色には変更できない等の、色設定の制限を行なうこともできる。また、利用時間や利用回数等によって、利用期限設定することもできる。また、コンテンツが動画等の時間をパラメータとするコンテンツである場合、当該コンテンツの再生、一時停止、早送り、巻戻し、およびスロー再生等の、再生処理の制限を行なうこともできる。
【００９５】
なお、上述の制限は、クリップアートに関する制限の具体例であって、コンテンツの形式に応じた他の制限であっても構わない。例えば、ＭＩＤＩファイル（音楽コンテンツ）である場合、音のトーンの制限や演奏速度の制限を行なうこともできる。また、人体３Ｄポリゴンモデルを含むコンテンツの場合、指定可能な姿勢の制限やカメラ位置の制限等を行なうこともできる。
【００９６】
また、組合せにおける制限として、例えば、著作権者が異なる複数のクリップアートが同時に利用されることを防ぐ、あるいは、逆に、必ず組合せて利用しなければならない組合せを定義する等の、同時に利用可能なクリップアートの利用の制限を行なうこともできる。また、同じ縮尺比で配置しなければならない等の、同時に利用するクリップアートの縮尺の制限を行なうことができ、キャラクタをでたらめな縮尺で配置されることを防ぐことができる。また、向かって左に男雛、右に女雛でなければならない等の、同時に利用するクリップアートの位置の制限や相対的な位置の制限を行なうこともできる。
【００９７】
このような制限を行なうことで、そのコンテンツの著作権を確実に保護することができる。また、そもそもそれらのコンテンツが備える独自の世界観等を壊すことを確実に防止することができる。
【００９８】
さらに、組合せのための挿入の動作を制限するだけでなく、組合せによってあらたな処理を生起することもできる。例えば、提供者の異なるコンテンツを組合せて同時に利用した場合、各コンテンツに対する利用料が発生し、各コンテンツの提供者に対して利用料を支払う処理を自動的に行なうことができる。また、所定の提供者のコンテンツを組合せることで、所定の値引きが発生する等の、課金体系を構築することもできる。
【００９９】
また、コンテンツに所定の動作を与えることもできる。例えば、コンテンツＡとコンテンツＢとを組合せた場合には、コンテンツＡに示されるキャラクタが笑顔になり、コンテンツＡとコンテンツＣとを組合せた場合には、泣き顔になる等の動作を行なうように設定することもできる。
【０１００】
なお、上述において、コンテンツとして写真や画像等のクリップアートや、動画や音楽等が該当するものとして説明したが、コンテンツとはこのような内容の情報や、必ずしもファイル化された情報等に限定されない。例えば、端末に付属したカメラやネットワークに接続されたカメラから取得できるリアルタイム映像なども含むものとする。
【０１０１】
さらに、上述の、コンテンツの動作や処理の制限方法を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０２】
提供されるプログラム製品は、ハードディスクなどのプログラム格納部にインストールされて実行される。
【０１０３】
なお、プログラム製品は、プログラム自体と、プログラムが記録された記録媒体とを含む。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】一般的なネットワークシステムを示す図である。
【図２】携帯電話１を示す図である。
【図３】携帯電話１の機能ブロック図である。
【図４】携帯電話１上で動作するアニメーション作成ツールの具体例を示す図である。
【図５】制限情報として排他情報が付加されているコンテンツの具体例を示す図である。
【図６】第１の実施の形態において、コンテンツ挿入の際に行なわれる制御についてその流れを示すフローチャートである。
【図７】制限情報として組合制限情報が付加されている、ＩＤが設定されたコンテンツの具体例を示す図である。
【図８】第２の実施の形態において、コンテンツ挿入の際に行なわれる制御についてその流れを示すフローチャートである。
【図９】制限情報として属性情報が付加されているコンテンツの具体例を示す図である。
【符号の説明】
１　携帯電話、３　サーバ、１１　表示画面、１２　スピーカ、１３　マイク、１４　テンキー、１５　カーソルキー、１６　ファンクションキー、１７　カメラ、１０１　制御部、１０２　通信部、１０３　記憶部、１１０　入出力部、１１１　操作部、１１２　表示部、１１３　音声入力部、１１４　音声出力部、１１５　画像入力部。
【図１】
2004029859.tif 000003
【図２】
2004029859.tif 000004
【図３】
2004029859.tif 000005
【図４】
2004029859.tif 000006
【図５】
2004029859.tif 000007
【図６】
2004029859.tif 000008
【図７】
2004029859.tif 000009
【図８】
2004029859.tif 000010
【図９】
2004029859.tif 000011
【手続補正書】
【提出日】平成15年2月17日(2003.2.17)
【手続補正１】
【補正対象書類名】明細書
【補正対象項目名】特許請求の範囲
【補正方法】変更
【補正の内容】
【特許請求の範囲】
【請求項１】
第１のコンテンツに対して第２のコンテンツを追加する場合におけるコンテンツの処理制限方法であって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの処理を制限する制限ステップとを備える、コンテンツ処理制限方法。
【請求項２】
前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項１に記載のコンテンツ処理制限方法。
【請求項３】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理、再生制御処理との少なくとも１つを制限する情報を含むとき、
前記制限ステップにおいては、前記第２の制限情報に基づいて、前記第２のコンテンツを追加する際の処理を制限する、請求項１に記載のコンテンツ処理制限方法。
【請求項４】
前記第１の制限情報と前記第２の制限情報との少なくとも一方が、他のコンテンツと組合せて同時に利用する際の所定の条件を含むとき、
前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１に記載のコンテンツ処理制限方法。
【請求項５】
前記第１の制限情報と前記第２の制限情報との少なくとも一方は、当該コンテンツの属性を示す情報をさらに含み、
前記所定の条件は、組合せるコンテンツの属性に関する条件である、請求項４に記載のコンテンツ処理制限方法。
【請求項６】前記第１のコンテンツと前記第２のコンテンツとの少なくとも一方は、複数のコンテンツを含むことを特徴とする、請求項１に記載のコンテンツ処理制限方法。
【請求項７】第１のコンテンツに対して第２のコンテンツを追加する場合におけるコンテンツの処理制限をコンピュータに実行させるコンテンツ処理制限プログラムであって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの処理を制限する制限ステップとを実行させる、コンテンツ処理制限プログラム。
【請求項８】前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項７に記載のコンテンツ処理制限プログラム。
【請求項９】前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理、再生制御処理との少なくとも１つを制限する情報を含むとき、
前記制限ステップにおいては、前記第２の制限情報に基づいて、前記第２のコンテンツを追加する際の処理を制限する、請求項７に記載のコンテンツ処理制限プログラム。
【請求項１０】前記第１の制限情報と前記第２の制限情報との少なくとも一方が、他のコンテンツと組合せて同時に利用する際の所定の条件を含むとき、前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項７に記載のコンテンツ処理制限プログラム。
【請求項１１】前記第１の制限情報と前記第２の制限情報との少なくとも一方は、当該コンテンツの属性を示す情報をさらに含み、
前記所定の条件は、組合せるコンテンツの属性に関する条件である、請求項１０に記載のコンテンツ処理制限プログラム。
【請求項１２】前記第１のコンテンツと前記第２のコンテンツとの少なくとも一方は、複数のコンテンツを含むことを特徴とする、請求項７に記載のコンテンツ処理制限プログラム。
【請求項１３】請求項７〜１２のいずれかに記載のコンテンツ処理制限プログラムを記録する、コンピュータ読取可能な記録媒体。
【請求項１４】第１のコンテンツに対して第２のコンテンツを追加するコンテンツの編集を行なうコンテンツ編集装置であって、
前記第１のコンテンツに付加されている第１の制限情報を認識する第１の制限情報認識手段と、
前記第２のコンテンツに付加されている第２の制限情報を認識する第２の制限情報認識手段と、
前記認識された前記第１および第２の制限情報に基づいて、前記第２のコンテンツの処理を制限する制限手段とを備える、コンテンツ編集装置。
【請求項１５】前記第１の制限情報と前記第２の制限情報との少なくとも一方が、他のコンテンツと組合せて同時に利用されることを制限する排他情報を含むとき、
前記制限手段は、前記第１のコンテンツに対して前記第２のコンテンツを追加する処理を制限する、請求項１４に記載のコンテンツ編集装置。
【請求項１６】前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理、再生制御処理との少なくとも１つを制限する情報を含むとき、
前記制限手段は、前記第２の制限情報に基づいて、前記第２のコンテンツを追加する際の処理を制限する、請求項１４に記載のコンテンツ編集装置。
【請求項１７】前記第１の制限情報と前記第２の制限情報との少なくとも一方が、他のコンテンツと組合せて同時に利用する際の所定の条件を含むとき、前記制限手段は、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１４に記載のコンテンツ編集装置。
【請求項１８】前記第１の制限情報と前記第２の制限情報との少なくとも一方は、当該コンテンツの属性を示す情報をさらに含み、
前記所定の条件は、組合せるコンテンツの属性に関する条件である、請求項１７に記載のコンテンツ編集装置。
【請求項１９】前記第１のコンテンツと前記第２のコンテンツとの少なくとも一方は、複数のコンテンツを含むことを特徴とする、請求項１４に記載のコンテンツ編集装置。
【手続補正書】
【提出日】平成15年6月9日(2003.6.9)
【手続補正１】
【補正対象書類名】明細書
【補正対象項目名】特許請求の範囲
【補正方法】変更
【補正の内容】
【特許請求の範囲】
【請求項１】
第１のコンテンツに対して第２のコンテンツを追加する場合におけるコンテンツの処理制限方法であって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの前記第１のコンテンツとの組合せ処理を制限する制限ステップとを備える、コンテンツ処理制限方法。
【請求項２】
前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項１に記載のコンテンツ処理制限方法。
【請求項３】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限ステップにおいては、前記第２の制限情報に基づいて、前記第２のコンテンツを追加する際の処理を制限する、請求項１に記載のコンテンツ処理制限方法。
【請求項４】
前記第１の制限情報と前記第２の制限情報との少なくとも一方が、他のコンテンツと組合せて同時に利用する際の所定の条件を含むとき、
前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１に記載のコンテンツ処理制限方法。
【請求項５】
前記第１のコンテンツと前記第２のコンテンツとの少なくとも一方は、当該コンテンツの属性を示す情報をさらに含み、
前記所定の条件は、組合せるコンテンツの属性に関する条件である、請求項４に記載のコンテンツ処理制限方法。
【請求項６】
前記コンテンツの属性は、前記コンテンツに固有のＩＤ、キーワード、データ形式、タイプ、カテゴリ、およびジャンルの少なくとも１つを含む、請求項５に記載のコンテンツ処理制限方法。
【請求項７】
前記コンテンツの属性は、前記コンテンツの作者情報、著作権者情報、作品情報、製作時情報、および固有情報の少なくとも１つを含んで階層化されたＩＤであり、
前記所定の条件は当該コンテンツと組合せ可能なコンテンツのＩＤであって、前記所定の階層の情報を含むＩＤである、請求項５に記載のコンテンツ処理制限方法。
【請求項８】
前記第１のコンテンツと第２のコンテンツとの少なくとも一方は、当該コンテンツを単体で利用する際の制限情報をさらに含む、請求項５〜７のいずれかに記載のコンテンツ処理制限方法。
【請求項９】
前記第１のコンテンツと前記第２のコンテンツとの少なくとも一方は、複数のコンテンツを含むことを特徴とする、請求項１に記載のコンテンツ処理制限方法。
【請求項１０】
前記制限ステップにおいて、前記第２のコンテンツの前記第１のコンテンツとの組合せ処理を制限する際に、その旨を示すメッセージを通知する通知ステップをさらに備える、請求項１に記載のコンテンツ処理制限方法。
【請求項１１】
第１のコンテンツに対して第２のコンテンツを追加する場合におけるコンテンツの処理制限をコンピュータに実行させるコンテンツ処理制限プログラムであって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの前記第１のコンテンツとの組合せ処理を制限する制限ステップとを実行させる、コンテンツ処理制限プログラム。
【請求項１２】
前記第１の制限情報と前記第２の制限情報との少なくとも一方が、他のコンテンツと組合せて同時に利用されることを制限する排他情報を含むとき、
前記制限ステップにおいては、前記第１のコンテンツに対して前記第２のコンテンツを追加する処理を制限する、請求項１１に記載のコンテンツ処理制限プログラム。
【請求項１３】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限ステップにおいては、前記第２の制限情報に基づいて、前記第２のコンテンツを追加する際の処理を制限する、請求項１１に記載のコンテンツ処理制限プログラム。
【請求項１４】
前記第１の制限情報と前記第２の制限情報との少なくとも一方が、他のコンテンツと組合せて同時に利用する際の所定の条件を含むとき、前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１１に記載のコンテンツ処理制限プログラム。
【請求項１５】
前記第１のコンテンツと前記第２のコンテンツとの少なくとも一方は、当該コンテンツの属性を示す情報をさらに含み、
前記所定の条件は、組合せるコンテンツの属性に関する条件である、請求項１４に記載のコンテンツ処理制限プログラム。
【請求項１６】
前記コンテンツの属性は、前記コンテンツに固有のＩＤ、キーワード、データ形式、タイプ、カテゴリ、およびジャンルの少なくとも１つを含む、請求項１５に記載のコンテンツ処理制限プログラム。
【請求項１７】
前記コンテンツの属性は、前記コンテンツの作者情報、著作権者情報、作品情報、製作時情報、および固有情報の少なくとも１つを含んで階層化されたＩＤであり、
前記所定の条件は当該コンテンツと組合せ可能なコンテンツのＩＤであって、前記所定の階層の情報を含むＩＤである、請求項１５に記載のコンテンツ処理制限プログラム。
【請求項１８】
前記第１のコンテンツと第２のコンテンツとの少なくとも一方は、当該コンテンツを単体で利用する際の制限情報をさらに含む、請求項１５〜１７のいずれかに記載のコンテンツ処理制限プログラム。
【請求項１９】
前記第１のコンテンツと前記第２のコンテンツとの少なくとも一方は、複数のコンテンツを含むことを特徴とする、請求項１１に記載のコンテンツ処理制限プログラム。
【請求項２０】
前記制限ステップにおいて、前記第２のコンテンツの前記第１のコンテンツとの組合せ処理を制限する際に、その旨を示すメッセージを通知する通知ステップをさらに実行させる、請求項１１に記載のコンテンツ処理制限プログラム。
【請求項２１】
請求項１１〜２０のいずれかに記載のコンテンツ処理制限プログラムを記録する、コンピュータ読取可能な記録媒体。
【請求項２２】
第１のコンテンツに対して第２のコンテンツを追加するコンテンツの編集を行なうコンテンツ編集装置であって、
前記第１のコンテンツに付加されている第１の制限情報を認識する第１の制限情報認識手段と、
前記第２のコンテンツに付加されている第２の制限情報を認識する第２の制限情報認識手段と、
前記認識された前記第１および第２の制限情報に基づいて、前記第２のコンテンツの前記第１のコンテンツとの組合せ処理を制限する制限手段とを備える、コンテンツ編集装置。
【請求項２３】
前記第１の制限情報と前記第２の制限情報との少なくとも一方が、他のコンテンツと組合せて同時に利用されることを制限する排他情報を含むとき、
前記制限手段は、前記第１のコンテンツに対して前記第２のコンテンツを追加する処理を制限する、請求項２２に記載のコンテンツ編集装置。
【請求項２４】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限手段は、前記第２の制限情報に基づいて、前記第２のコンテンツを追加する際の処理を制限する、請求項２２に記載のコンテンツ編集装置。
【請求項２５】
前記第１の制限情報と前記第２の制限情報との少なくとも一方が、他のコンテンツと組合せて同時に利用する際の所定の条件を含むとき、前記制限手段は、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項２２に記載のコンテンツ編集装置。
【請求項２６】
前記第１のコンテンツと前記第２のコンテンツとの少なくとも一方は、当該コンテンツの属性を示す情報をさらに含み、
前記所定の条件は、組合せるコンテンツの属性に関する条件である、請求項２５に記載のコンテンツ編集装置。
【請求項２７】
前記コンテンツの属性は、前記コンテンツに固有のＩＤ、キーワード、データ形式、タイプ、カテゴリ、およびジャンルの少なくとも１つを含む、請求項２６に記載のコンテンツ編集装置。
【請求項２８】
前記コンテンツの属性は、前記コンテンツの作者情報、著作権者情報、作品情報、製作時情報、および固有情報の少なくとも１つを含んで階層化されたＩＤであり、
前記所定の条件は当該コンテンツと組合せ可能なコンテンツのＩＤであって、前記所定の階層の情報を含むＩＤである、請求項２６に記載のコンテンツ編集装置。
【請求項２９】
前記第１のコンテンツと第２のコンテンツとの少なくとも一方は、当該コンテンツを単体で利用する際の制限情報をさらに含む、請求項２６〜２８のいずれかに記載のコンテンツ編集装置。
【請求項３０】
前記第１のコンテンツと前記第２のコンテンツとの少なくとも一方は、複数のコンテンツを含むことを特徴とする、請求項２２に記載のコンテンツ編集装置。
【請求項３１】
前記制限手段において、前記第２のコンテンツの前記第１のコンテンツとの組合せ処理を制限する際に、その旨を示すメッセージを通知する通知手段をさらに備える、請求項２２に記載のコンテンツ編集装置。
【手続補正２】
【補正対象書類名】明細書
【補正対象項目名】０００７
【補正方法】変更
【補正の内容】
【０００７】
【課題を解決するための手段】
上記目的を達成するために、本発明のある局面に従うと、コンテンツ処理制限方法は、第１のコンテンツに対して第２のコンテンツを追加する場合におけるコンテンツの処理制限方法であって、第１のコンテンツに付加されている第１の制限情報を認識する第１の制限情報認識ステップと、第２のコンテンツに付加されている第２の制限情報を認識する第２の制限情報認識ステップと、認識された第１および第２の制限情報に基づいて、第２のコンテンツの第１のコンテンツとの組合せ処理を制限する制限ステップとを備える。


【手続補正３】
【補正対象書類名】明細書
【補正対象項目名】００１１
【補正方法】変更
【補正の内容】
【００１１】
また、第１のコンテンツと第２のコンテンツとの少なくとも一方は、当該コンテンツの属性を示す情報をさらに含み、上述の所定の条件は、組合せるコンテンツの属性に関する条件であることが望ましい。
さらに、コンテンツの属性は、コンテンツに固有のＩＤ、キーワード、データ形式、タイプ、カテゴリ、およびジャンルの少なくとも１つを含むことが望ましい。
あるいは、コンテンツの属性は、コンテンツの作者情報、著作権者情報、作品情報、製作時情報、および固有情報の少なくとも１つを含んで階層化されたＩＤであり、上述の所定の条件は当該コンテンツと組合せ可能なコンテンツのＩＤであって、所定の階層の情報を含むＩＤであることが望ましい。
また、第１のコンテンツと第２のコンテンツとの少なくとも一方は、当該コンテンツを単体で利用する際の制限情報をさらに含むことが望ましい。
また、第１のコンテンツと第２のコンテンツとの少なくとも一方は、複数のコンテンツを含むことが望ましい。
また、上述の制限ステップにおいて、第２のコンテンツの第１のコンテンツとの組合せ処理を制限する際に、その旨を示すメッセージを通知する通知ステップをさらに備えることが望ましい。
【手続補正４】
【補正対象書類名】明細書
【補正対象項目名】００１２
【補正方法】変更
【補正の内容】
【００１２】
本発明の他の局面に従うと、コンテンツ処理制限プログラムは、第１のコンテンツに対して第２のコンテンツを追加する場合におけるコンテンツの処理制限をコンピュータに実行させるコンテンツ処理制限プログラムであって、第１のコンテンツに付加されている第１の制限情報を認識する第１の制限情報認識ステップと、第２のコンテンツに付加されている第２の制限情報を認識する第２の制限情報認識ステップと、認識された第１および第２の制限情報に基づいて、第２のコンテンツの第１のコンテンツとの組合せ処理を制限する制限ステップとを実行させる。


【手続補正５】
【補正対象書類名】明細書
【補正対象項目名】００１６
【補正方法】変更
【補正の内容】
【００１６】
また、第１のコンテンツと第２のコンテンツとの少なくとも一方は、当該コンテンツの属性を示す情報をさらに含み、上述の所定の条件は、組合せるコンテンツの属性に関する条件であることが望ましい。
さらに、コンテンツの属性は、コンテンツに固有のＩＤ、キーワード、データ形式、タイプ、カテゴリ、およびジャンルの少なくとも１つを含むことが望ましい。
あるいは、コンテンツの属性は、コンテンツの作者情報、著作権者情報、作品情報、製作時情報、および固有情報の少なくとも１つを含んで階層化されたＩＤであり、上述の所定の条件は当該コンテンツと組合せ可能なコンテンツのＩＤであって、所定の階層の情報を含むＩＤであることが望ましい。
また、第１のコンテンツと第２のコンテンツとの少なくとも一方は、当該コンテンツを単体で利用する際の制限情報をさらに含むことが望ましい。
また、第１のコンテンツと第２のコンテンツとの少なくとも一方は、複数のコンテンツを含むことが望ましい。
また、上述の制限ステップにおいて、第２のコンテンツの第１のコンテンツとの組合せ処理を制限する際に、その旨を示すメッセージを通知する通知ステップをさらに実行させることが望ましい。
【手続補正６】
【補正対象書類名】明細書
【補正対象項目名】００１８
【補正方法】変更
【補正の内容】
【００１８】
本発明のさらに他の局面に従うと、コンテンツ編集装置は第１のコンテンツに対して第２のコンテンツを追加するコンテンツの編集を行なうコンテンツ編集装置であって、第１のコンテンツに付加されている第１の制限情報を認識する第１の制限情報認識手段と、第２のコンテンツに付加されている第２の制限情報を認識する第２の制限情報認識手段と、認識された第１および第２の制限情報に基づいて、第２のコンテンツの第１のコンテンツとの組合せ処理を制限する制限手段とを備える。
また、第１の制限情報と第２の制限情報との少なくとも一方が、他のコンテンツと組合せて同時に利用されることを制限する排他情報を含むとき、制限手段は、第１のコンテンツに対して第２のコンテンツを追加する処理を制限することが望ましい。
また、第２の制限情報が、他のコンテンツと組合せて同時に利用する際の、第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、制限手段は、第２の制限情報に基づいて、第２のコンテンツを追加する際の処理を制限することが望ましい。
また、第１の制限情報と第２の制限情報との少なくとも一方が、他のコンテンツと組合せて同時に利用する際の所定の条件を含むとき、制限手段は、第１の制限情報と第２の制限情報とから含まれる所定の条件を全て抽出し、第１のコンテンツと第２のコンテンツとが抽出した条件を１つでも満たしていない場合には、第１のコンテンツに対して第２のコンテンツを追加する処理を制限することが望ましい。
また、第１のコンテンツと第２のコンテンツとの少なくとも一方は、当該コンテンツの属性を示す情報をさらに含み、上述の所定の条件は、組合せるコンテンツの属性に関する条件であることが望ましい。
さらに、コンテンツの属性は、コンテンツに固有のＩＤ、キーワード、データ形式、タイプ、カテゴリ、およびジャンルの少なくとも１つを含むことが望ましい。
あるいは、コンテンツの属性は、コンテンツの作者情報、著作権者情報、作品情報、製作時情報、および固有情報の少なくとも１つを含んで階層化されたＩＤであり、上述の所定の条件は当該コンテンツと組合せ可能なコンテンツのＩＤであって、所定の階層の情報を含むＩＤであることが望ましい。
また、第１のコンテンツと第２のコンテンツとの少なくとも一方は、当該コンテンツを単体で利用する際の制限情報をさらに含むことが望ましい。
また、第１のコンテンツと第２のコンテンツとの少なくとも一方は、複数のコンテンツを含むことが望ましい。
また、制限手段において、第２のコンテンツの第１のコンテンツとの組合せ処理を制限する際に、その旨を示すメッセージを通知する通知手段をさらに備えることが望ましい。
【手続補正書】
【提出日】平成15年8月28日(2003.8.28)
【手続補正２】
【補正対象書類名】明細書
【補正対象項目名】特許請求の範囲
【補正方法】変更
【補正の内容】
【特許請求の範囲】
【請求項１】
第１のコンテンツに対して第２のコンテンツを追加する場合におけるコンテンツの処理制限方法であって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの前記第１のコンテンツとの組合せ処理を制限する制限ステップとを備える、コンテンツ処理制限方法。
【請求項２】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限ステップにおいては、前記第２の制限情報に基づいて、前記第２のコンテンツを追加する際の処理を制限する、請求項１に記載のコンテンツ処理制限方法。
【請求項３】
前記第１の制限情報と前記第２の制限情報との少なくとも一方が、他のコンテンツと組合せて同時に利用する際の所定の条件を含むとき、
前記制限ステップにおいては、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項１に記載のコンテンツ処理制限方法。
【請求項４】
前記第１のコンテンツと前記第２のコンテンツとの少なくとも一方は、当該コンテンツの属性を示す情報をさらに含み、
前記所定の条件は、組合せるコンテンツの属性に関する条件である、請求項３に記載のコンテンツ処理制限方法。
【請求項５】
前記コンテンツの属性は、前記コンテンツに固有のＩＤ、キーワード、データ形式、タイプ、カテゴリ、およびジャンルの少なくとも１つを含む、請求項４に記載のコンテンツ処理制限方法。
【請求項６】
前記コンテンツの属性は、前記コンテンツの作者情報、著作権者情報、作品情報、製作時情報、および固有情報の少なくとも１つを含んで階層化されたＩＤであり、
前記所定の条件は当該コンテンツと組合せ可能なコンテンツのＩＤであって、前記所定の階層の情報を含むＩＤである、請求項４に記載のコンテンツ処理制限方法。
【請求項７】
第１のコンテンツに対して第２のコンテンツを追加するコンテンツの編集を行なうコンテンツ編集装置であって、
前記第１のコンテンツに付加されている第１の制限情報を認識する第１の制限情報認識手段と、
前記第２のコンテンツに付加されている第２の制限情報を認識する第２の制限情報認識手段と、
前記認識された前記第１および第２の制限情報に基づいて、前記第２のコンテンツの前記第１のコンテンツとの組合せ処理を制限する制限手段とを備える、コンテンツ編集装置。
【請求項８】
前記第２の制限情報が、他のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限手段は、前記第２の制限情報に基づいて、前記第２のコンテンツを追加する際の処理を制限する、請求項７に記載のコンテンツ編集装置。
【請求項９】
前記第１の制限情報と前記第２の制限情報との少なくとも一方が、他のコンテンツと組合せて同時に利用する際の所定の条件を含むとき、
前記制限手段は、前記第１の制限情報と前記第２の制限情報とから含まれる前記所定の条件を全て抽出し、前記第１のコンテンツと前記第２のコンテンツとが前記抽出した条件を１つでも満たしていない場合には、前記第１のコンテンツに対して前記第２のコンテンツを追加する処理を制限する、請求項７に記載のコンテンツ編集装置。
【請求項１０】
前記第１のコンテンツと前記第２のコンテンツとの少なくとも一方は、当該コンテンツの属性を示す情報をさらに含み、
前記所定の条件は、組合せるコンテンツの属性に関する条件である、請求項９に記載のコンテンツ編集装置。
【請求項１１】
前記コンテンツの属性は、前記コンテンツに固有のＩＤ、キーワード、データ形式、タイプ、カテゴリ、およびジャンルの少なくとも１つを含む、請求項１０に記載のコンテンツ編集装置。
【請求項１２】
前記コンテンツの属性は、前記コンテンツの作者情報、著作権者情報、作品情報、製作時情報、および固有情報の少なくとも１つを含んで階層化されたＩＤであり、
前記所定の条件は当該コンテンツと組合せ可能なコンテンツのＩＤであって、前記所定の階層の情報を含むＩＤである、請求項１０に記載のコンテンツ編集装置。
【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
第１のコンテンツに対して第２のコンテンツを追加する場合におけるコンテンツの処理制限方法であって、
前記第１のコンテンツに付加されている第１の制限情報を認識する第１の制限情報認識ステップと、
前記第２のコンテンツに付加されている第２の制限情報を認識する第２の制限情報認識ステップと、
前記認識された前記第１および第２の制限情報に基づいて、前記第２のコンテンツの前記第１のコンテンツとの組合せ処理を制限する制限ステップとを備え、
前記第１のコンテンツと前記第２のコンテンツとの少なくとも一方は、当該コンテンツに固有のＩＤ、キーワード、データ形式、タイプ、カテゴリ、およびジャンルの少なくとも１つを含む、当該コンテンツの属性を示す情報をさらに含み、
他方のコンテンツと組合せて同時に利用する際の、組合せるコンテンツの前記属性に関する条件を、前記第１の制限情報と前記第２の制限情報との少なくとも一方が含むとき、
前記制限ステップにおいては、前記第１の制限情報と前記第２の制限情報とから含まれる前記組合せるコンテンツの属性に関する条件を全て抽出し、前記第１のコンテンツと前記第２のコンテンツとが前記抽出した条件を１つでも満たしていない場合には、前記第１のコンテンツに対して前記第２のコンテンツを追加する処理を制限し、
前記第２の制限情報が、前記第１のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限ステップにおいては、前記第２の制限情報に基づいて、前記第１のコンテンツに対して前記第２のコンテンツを追加する際の処理を制限する、コンテンツ処理制限方法。
【請求項２】
前記コンテンツの属性は、前記コンテンツの作者情報、著作権者情報、作品情報、製作時情報、および固有情報の少なくとも１つを含んで階層化されたＩＤであり、
前記組合せるコンテンツの属性に関する条件は当該コンテンツと組合せ可能なコンテンツのＩＤであって、前記所定の階層の情報を含むＩＤである、請求項１に記載のコンテンツ処理制限方法。
【請求項３】
第１のコンテンツに対して第２のコンテンツを追加するコンテンツの編集を行なうコンテンツ編集装置であって、
前記第１のコンテンツに付加されている第１の制限情報を認識する第１の制限情報認識手段と、
前記第２のコンテンツに付加されている第２の制限情報を認識する第２の制限情報認識手段と、
前記認識された前記第１および第２の制限情報に基づいて、前記第２のコンテンツの前記第１のコンテンツとの組合せ処理を制限する制限手段とを備え、
前記第１のコンテンツと前記第２のコンテンツとの少なくとも一方は、当該コンテンツに固有のＩＤ、キーワード、データ形式、タイプ、カテゴリ、およびジャンルの少なくとも１つを含む、当該コンテンツの属性を示す情報をさらに含み、
他方のコンテンツと組合せて同時に利用する際の、組合せるコンテンツの前記属性に関する条件を、前記第１の制限情報と前記第２の制限情報との少なくとも一方が含むとき、
前記制限手段は、前記第１の制限情報と前記第２の制限情報とから含まれる前記組合せるコンテンツの属性に関する条件を全て抽出し、前記第１のコンテンツと前記第２のコンテンツとが前記抽出した条件を１つでも満たしていない場合には、前記第１のコンテンツに対して前記第２のコンテンツを追加する処理を制限し、
前記第２の制限情報が、前記第１のコンテンツと組合せて同時に利用する際の、前記第２のコンテンツに対する縮尺サイズの変更処理と、回転処理と、反転処理と、全体表示処理と、色彩変更処理と、利用期限と、相対位置の変更処理と、再生制御処理との少なくとも１つを制限する情報を含むとき、
前記制限手段は、前記第２の制限情報に基づいて、前記第１のコンテンツに対して前記第２のコンテンツを追加する際の処理を制限する、コンテンツ編集装置。
【請求項４】
前記コンテンツの属性は、前記コンテンツの作者情報、著作権者情報、作品情報、製作時情報、および固有情報の少なくとも１つを含んで階層化されたＩＤであり、
前記組合せるコンテンツの属性に関する条件は当該コンテンツと組合せ可能なコンテンツのＩＤであって、前記所定の階層の情報を含むＩＤである、請求項３に記載のコンテンツ編集装置。